(57)【要約】【課題】筆記体のリターン時の十分な衝撃吸収性能及び静音性能を得ることができ、しかも、製造コストの上昇を抑えることができ、また、操作部が指先に対する十分な滑り止め性能を有する多芯筆記具を提供する。【解決手段】軸筒２内に複数の筆記体３を前後方向に移動可能に収容する。各々の筆記体３の後端の操作体４の操作部４１を軸筒２の側壁の窓孔２２より突出させる。操作部４１を窓孔２２に沿って前方にスライドさせ、筆記体３のペン先３１を軸筒２の前端孔２１から出没させる。各々の操作体４の後端部に、ペン先没入時に軸筒２の当接壁部５２と当接する、弾性樹脂からなる衝止部４７を設ける。衝止部４７と操作体４とを２色成形により一体に形成する。操作部４１外面に弾性樹脂からなる滑り止め部４８を設ける。滑り止め部４８と操作体４とを２色成形により一体に形成する。【選択図】  図３
2010105200.tif 000002
【特許請求の範囲】
【請求項１】
軸筒内に複数の筆記体を前後方向に移動可能に収容し、前記各々の筆記体を弾発体により後方に付勢し、前記各々の筆記体の後端に操作体を取り付け、前記軸筒の側壁に軸方向に延びる複数の窓孔を径方向に貫設し、前記各々の窓孔から径方向外方に前記各々の操作体の操作部を突出させ、一つの操作部を窓孔に沿って前方にスライドさせることにより、その一つの操作体が取り付けられた筆記体のペン先を軸筒の前端孔から突出させるとともに、先に突出状態にあった他の筆記体のペン先を軸筒内に没入させる多芯筆記具であって、前記各々の操作体の後端部に、ペン先没入時に軸筒の当接壁部と当接する、弾性樹脂からなる衝止部を設け、前記衝止部と前記操作体とを２色成形により一体に形成したことを特徴とする多芯筆記具。
【請求項２】
前記操作部外面に弾性樹脂からなる滑り止め部を設け、前記滑り止め部と前記操作体とを２色成形により一体に形成した請求項１記載の多芯筆記具。
【請求項３】
軸筒内に複数の筆記体を前後方向に移動可能に収容し、前記各々の筆記体を弾発体により後方に付勢し、前記各々の筆記体の後端に操作体を取り付け、前記軸筒の側壁に軸方向に延びる複数の窓孔を径方向に貫設し、前記各々の窓孔から径方向外方に前記各々の操作体の操作部を突出させ、一つの操作部を窓孔に沿って前方にスライドさせることにより、その一つの操作体が取り付けられた筆記体のペン先を軸筒の前端孔から突出させるとともに、先に突出状態にあった他の筆記体のペン先を軸筒内に没入させる多芯筆記具であって、前記操作部外面に弾性樹脂からなる滑り止め部を設け、前記滑り止め部と前記操作体とを２色成形により一体に形成したことを特徴とする多芯筆記具。
【発明の詳細な説明】
【技術分野】
【０００１】
本発明は、多芯筆記具に関する。詳細には、軸筒の側壁の窓孔から突出する操作体を前方にスライドさせることにより、軸筒内部に収容した筆記体のペン先を軸筒の前端孔から出没させる多芯筆記具に関する。
【背景技術】
【０００２】
特許文献１には、作動子の押圧部を押圧して筆記体を出没させる多芯筆記具であって、作動子が衝合する軸筒の受け面と作動子との間に緩衝部材が介装される構造が開示されている。また、特許文献１には、ゴム板からなる緩衝部材を軸筒の受け面または作動子の頂面に貼り付けることが記載されている。
【０００３】
【特許文献１】実用新案登録第２５１１７４２号公報
【発明の開示】
【発明が解決しようとする課題】
【０００４】
前記特許文献１の多芯筆記具は、軸筒の受け面または作動子の頂面に緩衝部材を貼り付ける工程が必要であるため、製造コストが上昇する。
【０００５】
また、従来の多芯筆記具は、窓孔より外部に突出する操作体の操作部を指先で前方に押圧操作する際、指先が操作部から滑って押圧操作し損なうおそれがある。
【０００６】
本発明は、前記従来の問題点を解決するものであって、筆記体のリターン時の十分な衝撃吸収性能及び静音性能を得ることができ、しかも、製造コストの上昇を抑えることができ、また、指先に対する操作部の十分な滑り止め性能を得る多芯筆記具を提供しようとするものである。尚、本発明において、「前」とはペン先側を指し、「後」とはその反対側を指す。
【課題を解決するための手段】
【０００７】
[１]本願の第１の発明は、軸筒２内に複数の筆記体３を前後方向に移動可能に収容し、前記各々の筆記体３を弾発体６により後方に付勢し、前記各々の筆記体３の後端に操作体４を取り付け、前記軸筒２の側壁に軸方向に延びる複数の窓孔２２を径方向に貫設し、前記各々の窓孔２２から径方向外方に前記各々の操作体４の操作部４１を突出させ、一つの操作部４１を窓孔２２に沿って前方にスライドさせることにより、その一つの操作体４が取り付けられた筆記体３のペン先３１を軸筒２の前端孔２１から突出させるとともに、先に突出状態にあった他の筆記体３のペン先３１を軸筒２内に没入させる多芯筆記具であって、前記各々の操作体４の後端部に、ペン先没入時に軸筒２の当接壁部５２と当接する、弾性樹脂からなる衝止部４７を設け、前記衝止部４７と前記操作体４とを２色成形により一体に形成したことを要件とする。
【０００８】
前記第１の発明の多芯筆記具１は、各々の操作体４の後端部に、ペン先没入時に軸筒２の当接壁部５２と当接する、弾性樹脂からなる衝止部４７を設けたことによって、筆記体３のリターン時（即ちペン先突出状態からペン先没入状態にした時）、操作体４の衝止部４７が軸筒２の当接壁部５２に勢いよく衝突しても、その衝撃を十分に吸収でき（即ち十分な衝撃吸収性能を有し）、インキの逆流やペン先３１からの空気の混入を回避できるとともに、衝突時の発生する音を小さくすることができる（即ち十分な静音性能を有する）。さらに、前記第１の発明の多芯筆記具１は、２色成形により衝止部４７と操作体４とを一体に形成したことによって、製造コストの上昇を抑えることができる。尚、前記弾性樹脂は、例えば、合成ゴムまたは熱可塑性エラストマーが挙げられる。
【０００９】
［２］本願の第２の発明は、前記第１の発明の多芯筆記具１において、前記操作部４１外面に弾性樹脂からなる滑り止め部４８を設け、前記滑り止め部４８と前記操作体４とを２色成形により一体に形成したことを要件とする。
【００１０】
前記第２の発明の多芯筆記具１は、操作部４１外面に弾性樹脂からなる滑り止め部４８を形成したことによって、指先に対する操作部４１外面の十分な滑り止め性能を得ることができ、窓孔２２より外部に突出する操作体４の操作部４１外面を指先で前方に押圧操作する際、指先が操作部４１外面から滑って押圧操作し損なうおそれがない。さらに、前記第２の発明の多芯筆記具１は、滑り止め部４８と操作体４（操作部４１）とを２色成形により一体に形成したことにより、製造コストの上昇を抑えることができる。尚、前記操作部４１外面とは、操作部４１の径方向外面をいう。また、前記操作体４外面に滑り止め部４８を形成するとは、前記操作体４外面の全体または一部に滑り止め部４８を形成することをいう。また、前記第２の発明の多芯筆記具１において、少なくとも操作部４１外面の後半部に滑り止め部４８を形成することが好ましく、それによって、操作部４１を前方にスライド操作する際、操作部４１外面と指先との滑り止めが有効に作用する。
【００１１】
［３］本願の第３の発明は、軸筒２内に複数の筆記体３を前後方向に移動可能に収容し、前記各々の筆記体３を弾発体６により後方に付勢し、前記各々の筆記体３の後端に操作体４を取り付け、前記軸筒２の側壁に軸方向に延びる複数の窓孔２２を径方向に貫設し、前記各々の窓孔２２から径方向外方に前記各々の操作体４の操作部４１を突出させ、一つの操作部４１を窓孔２２に沿って前方にスライドさせることにより、その一つの操作体４が取り付けられた筆記体３のペン先３１を軸筒２の前端孔２１から突出させるとともに、先に突出状態にあった他の筆記体３のペン先３１を軸筒２内に没入させる多芯筆記具であって、前記操作部４１外面に弾性樹脂からなる滑り止め部４８を設け、前記滑り止め部４８と前記操作体４とを２色成形により一体に形成したことを要件とする。
【００１２】
前記第３の発明の多芯筆記具１は、操作部４１外面に弾性樹脂からなる滑り止め部４８を形成したことによって、指先に対する操作部４１外面の十分な滑り止め性能を得ることができ、窓孔２２より外部に突出する操作体４の操作部４１外面を指先で前方に押圧操作する際、指先が操作部４１外面から滑って押圧操作し損なうおそれがない。さらに、前記第３の発明の多芯筆記具１は、滑り止め部４８と操作体４（操作部４１）とを２色成形により一体に形成したことにより、製造コストの上昇を抑えることができる。尚、前記操作部４１外面とは、操作部４１の径方向外面をいう。また、前記操作体４外面に滑り止め部４８を形成するとは、前記操作体４外面の全体または一部に滑り止め部４８を形成することをいう。また、前記第３の発明の多芯筆記具１において、少なくとも操作部４１外面の後半部に滑り止め部４８を形成することが好ましく、それによって、操作部４１を前方にスライド操作する際、操作部４１外面と指先との滑り止めが有効に作用する。
【発明の効果】
【００１３】
本発明の多芯筆記具は、筆記体のリターン時の十分な衝撃吸収性能及び静音性能を得ることができ、しかも、製造コストの上昇を抑えることができる。
本発明の多芯筆記具は、指先に対する操作部の十分な滑り止め性能を得ることができる。
【発明を実施するための最良の形態】
【００１４】
＜第１の実施の形態＞
図１及び図２に、本発明の多芯筆記具１の第１の実施の形態を示す。
【００１５】
本実施の形態の多芯筆記具１は、軸筒２内に複数本（具体的には２本）の筆記体３が前後方向に移動可能に収容されている。前記各々の筆記体３は、弾発体６（具体的には圧縮コイルスプリング）により、後方に付勢されている。
【００１６】
（軸筒）
前記軸筒２は、先細状の円筒体からなる前軸２ａと、該前軸２ａの後端部と螺合または圧入により取り付けられる円筒状の後軸２ｂとからなる。前記前軸２ａの前端には、筆記体３のペン先３１が突出可能な前端孔２１が軸方向に貫設される。前記前軸２ａ及び後軸２ｂは、合成樹脂（例えば、ポリカーボネイト等）の射出成形により得られる。
【００１７】
前記後軸２ｂの後部の側壁には、複数本（具体的には２本）の前後方向に延びる細長状の窓孔２２が、径方向に貫設される。前記２本の窓孔２２は、互いに、軸線に対して対称の位置に形成される。また、前記後軸２ｂの後端部には、軸方向に貫通し且つ径方向外方に開口する開口部２３が形成される。前記開口部２３は、後軸２ｂの後端（即ち軸筒２の後端）において窓孔２２と連通され、それにより、窓孔２２後端が後方に切り欠かれ後方に開口されている。前記開口部２３を通して、操作体４が取り付けられた状態の筆記体３を、軸筒２内に挿入可能且つ軸筒２内から取り出し可能に構成される。
【００１８】
また、前記後軸２ｂの窓孔２２の相互間の側壁内面には、前後方向に延びるリブよりなる係止壁部（図示せず）が形成され、前記係止壁部に、ペン先３１が突出した際の筆記体３の操作体４の後端が係止される。また、前記後軸２ｂの窓孔２２の相互間の側壁外面には、クリップ２５が設けられる。
【００１９】
（蓋部）
前記後軸２ｂの後端部には、前記開口部２３を開閉自在にする蓋部５が回動自在に設けられる。前記蓋部５の一端部は、クリップ２５基部に、ヒンジ部５１により回動自在に接続される。前記蓋部５は、略前後方向に回動自在となる。前記蓋部５の前面には、当接壁部５２が形成される。前記当接壁部５２に、ペン先没入状態の筆記体３の後端に連結された各々の操作体４の後端が、当接される。尚、本発明において、前記当接壁部５２は、蓋部５の前面に形成される構成以外にも、軸筒２（後軸２ｂ）と一体に形成されてもよい。
【００２０】
前記蓋部５の他端部の前面には、凹部または孔部よりなる係合部５３が設けられる。後軸２ｂの後端には、前記係合部５３と係合可能な突部よりなる被係合部２４が設けられる。前記係合部５３の内面には、内向突起が形成され、一方、前記被係合部２４の外面には、前記内向突起と乗り越え係止可能な外向突起が形成される。
【００２１】
（筆記体）
前記各々の筆記体３は、ボールペンレフィルであり、前端にボールが回転可能に抱持されたボールペンチップ（即ちペン先３１）と、該ボールペンチップを前端に備え且つ後端が開口されたインキ収容管３２とからなる。前記インキ収容管３２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管３２内のインキの後端には、インキの消費に伴い前進する高粘度流体からなる追従体が充填される。
【００２２】
また、前記水性ゲルインキ、低粘度の水性インキ、低粘度の油性インキをインキ収容管３２内に収容する場合、その前端に取り付けられる前記ボールペンチップは、前端に回転可能に抱持されたボールを弾発体等により前方に付勢し、前端縁部の内面にボールを密接させる構成が採用される。また、ボールペンチップは、インキ収容管３２の前端開口部に圧入等により直接、取り付けてもよいが、本実施の形態ではペン先ホルダーを介してインキ収容管３２の前端開口部に固着される。
【００２３】
（操作体）
前記各々の筆記体３の後端（即ちインキ収容管３２の後端開口部）には、操作体４が取り付けられる。前記各々の操作体４は、後端部に形成され且つ軸筒２の窓孔２２から外部に突出する操作部４１と、該操作部４１の反対側に設けられる後側突出部４３と、該操作部４１の反対側の後側突出部４３の前方に設けられる前側突出部４２と、前端部に形成され且つインキ収容管３２の後端開口部に嵌入される嵌入部４４と、該嵌入部４４の後方に形成される鍔部４５とを備える。また、前記鍔部４５の前面には、弾発体６の後端が係止される。また、前記操作体４の両方の側面には抜け止め突起４６が形成される。前記抜け止め突起４６は窓孔２２の両方の側壁内面に係合可能である。
【００２４】
前記各々の操作体４は、合成樹脂（例えば、ポリアセタール樹脂、ＡＢＳ樹脂等）の成形体からなる。前記各々の操作体４は、連結される筆記体３の内部（即ちインキ収容管３２内部）に収容されたインキの色と略同じ色に着色される。具体的には、前記操作体４の各々は、連結される筆記体３のインキ色と略同じ色に着色された合成樹脂の成形体からなる。
【００２５】
前記各々の操作体４の後端部には、弾性樹脂（例えば、合成ゴムまたは熱可塑性エラストマー）からなる衝止部４７が形成される。前記衝止部４７は、操作体４と２色成形により一体に形成される。
【００２６】
筆記体３のペン先３１が没入状態のとき、その筆記体３に取り付けられた操作体４の後端部の衝止部４７は、蓋部５の前面に形成された当接壁部５２に当接される。一方、筆記体３のペン先３１が突出状態のとき、その筆記体３に取り付けられた操作体４の後端部は、軸筒２の内壁に形成された係止壁部に係止される。
【００２７】
ペン先没入状態にある筆記体３の後端に連結された操作体４の前側突出部４２は、その操作体４の操作部４１を前方にスライド操作した際、先にペン先突出状態にある他の筆記体３の後端に連結された操作体４の後側突出部４３と当接され、他の筆記体３のペン先突出状態が解除される。
【００２８】
（本実施の形態の作用）
本実施の形態の多芯筆記具１は、各々の操作体４の後端部に、ペン先没入時に軸筒２の当接壁部５２と当接する、弾性樹脂からなる衝止部４７を設けたことによって、筆記体３のリターン時、操作体４の衝止部４７が軸筒２の当接壁部５２に勢いよく衝突しても、その衝撃を十分に吸収でき、インキの逆流やペン先３１からの空気の混入を回避でき、しかも、衝突時の発生する音を小さくすることができる。さらに、本実施の形態の多芯筆記具１は、衝止部４７と操作体４とを２色成形により一体に形成したことによって、製造コストの上昇を抑えることができる。
【００２９】
＜第２の実施の形態＞
図３及び図４に、本発明の多芯筆記具１の第２の実施の形態を示す。
【００３０】
本実施の形態の多芯筆記具１は、軸筒２内に複数本（具体的には２本）の筆記体３が前後方向に移動可能に収容されている。前記各々の筆記体３は、弾発体６（具体的には圧縮コイルスプリング）により、後方に付勢されている。
【００３１】
（軸筒）
前記軸筒２は、先細状の円筒体からなる前軸２ａと、該前軸２ａの後端部と螺合または圧入により取り付けられる円筒状の後軸２ｂとからなる。前記前軸２ａの前端には、筆記体３のペン先３１が突出可能な前端孔２１が軸方向に貫設される。前記前軸２ａ及び後軸２ｂは、合成樹脂（例えば、ポリカーボネイト等）の射出成形により得られる。
【００３２】
前記後軸２ｂの後部の側壁には、複数本（具体的には２本）の前後方向に延びる細長状の窓孔２２が、径方向に貫設される。前記２本の窓孔２２は、互いに、軸線に対して対称の位置に形成される。また、前記後軸２ｂの後端部には、軸方向に貫通し且つ径方向外方に開口する開口部２３が形成される。前記開口部２３は、後軸２ｂの後端（即ち軸筒２の後端）において窓孔２２と連通され、それにより、窓孔２２後端が後方に切り欠かれ後方に開口されている。前記開口部２３を通して、操作体４が取り付けられた状態の筆記体３を、軸筒２内に挿入可能且つ軸筒２内から取り出し可能に構成される。
【００３３】
また、前記後軸２ｂの窓孔２２の相互間の側壁内面には、前後方向に延びるリブよりなる係止壁部（図示せず）が形成され、前記係止壁部に、ペン先３１が突出した際の筆記体３の操作体４の後端が係止される。また、前記後軸２ｂの窓孔２２の相互間の側壁外面には、クリップ２５が設けられる。
【００３４】
（蓋部）
前記後軸２ｂの後端部には、前記開口部２３を開閉自在にする蓋部５が回動自在に設けられる。前記蓋部５の一端部は、クリップ２５基部に、ヒンジ部５１により回動自在に接続される。前記蓋部５は、略前後方向に回動自在となる。前記蓋部５の前面には、当接壁部５２が形成される。前記当接壁部５２に、ペン先没入状態の筆記体３の後端に連結された各々の操作体４の後端が、当接される。尚、本発明において、前記当接壁部５２は、蓋部５の前面に形成される構成以外にも、軸筒２（後軸２ｂ）と一体に形成されてもよい。
【００３５】
前記蓋部５の他端部の前面には、凹部または孔部よりなる係合部５３が設けられる。後軸２ｂの後端には、前記係合部５３と係合可能な突部よりなる被係合部２４が設けられる。前記係合部５３の内面には、内向突起が形成され、一方、前記被係合部２４の外面には、前記内向突起と乗り越え係止可能な外向突起が形成される。
【００３６】
（筆記体）
前記各々の筆記体３は、ボールペンレフィルであり、前端にボールが回転可能に抱持されたボールペンチップ（即ちペン先３１）と、該ボールペンチップを前端に備え且つ後端が開口されたインキ収容管３２とからなる。前記インキ収容管３２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管３２内のインキの後端には、インキの消費に伴い前進する高粘度流体からなる追従体が充填される。
【００３７】
また、前記水性ゲルインキ、低粘度の水性インキ、低粘度の油性インキをインキ収容管３２内に収容する場合、その前端に取り付けられる前記ボールペンチップは、前端に回転可能に抱持されたボールを弾発体等により前方に付勢し、前端縁部の内面にボールを密接させる構成が採用される。また、ボールペンチップは、インキ収容管３２の前端開口部に圧入等により直接、取り付けてもよいが、本実施の形態ではペン先ホルダーを介してインキ収容管３２の前端開口部に固着される。
【００３８】
（操作体）
前記各々の筆記体３の後端（即ちインキ収容管３２の後端開口部）には、操作体４が取り付けられる。前記各々の操作体４は、後端部に形成され且つ軸筒２の窓孔２２から外部に突出する操作部４１と、該操作部４１の反対側に設けられる後側突出部４３と、該操作部４１の反対側の後側突出部４３の前方に設けられる前側突出部４２と、前端部に形成され且つインキ収容管３２の後端開口部に嵌入される嵌入部４４と、該嵌入部４４の後方に形成される鍔部４５とを備える。また、前記鍔部４５の前面には、弾発体６の後端が係止される。また、前記操作体４の両方の側面には抜け止め突起４６が形成される。前記抜け止め突起４６は窓孔２２の両方の側壁内面に係合可能である。
【００３９】
前記各々の操作体４は、合成樹脂（例えば、ポリアセタール樹脂、ＡＢＳ樹脂等）の成形体からなる。前記各々の操作体４は、連結される筆記体３の内部（即ちインキ収容管３２内部）に収容されたインキの色と略同じ色に着色される。具体的には、前記操作体４の各々は、連結される筆記体３のインキ色と略同じ色に着色された合成樹脂の成形体からなる。
【００４０】
前記各々の操作体４の後端部には、弾性樹脂（例えば、合成ゴムまたは熱可塑性エラストマー）からなる衝止部４７が形成される。前記衝止部４７は、操作体４と２色成形により一体に形成される。前記各々の操作体４の操作部４１の外面には、弾性樹脂（例えば、合成ゴムまたは熱可塑性エラストマー）からなる滑り止め部４８が形成される。前記滑り止め部４８は、操作体４（操作部４１）と２色成形により一体に形成される。
【００４１】
また、操作体４の側面（操作部４１の両側面）は非弾性樹脂から形成される。それにより、操作体４の側面（操作部４１の両側面）と窓孔２２内面との円滑な摺動性が得られる。
【００４２】
尚、本実施の形態では、前記滑り止め部４８と前記衝止部４７とが連設されているが、前記滑り止め部４８と前記衝止部４７とを分離して設けることもできる。また、本実施の形態以外にも、操作体４全体（操作体４の外面全体）を弾性樹脂で形成することもできるが、操作体４の側面と窓孔２２内面との円滑な摺動性、及び前側突出部４２と他の後側突出部４３との円滑な摺動性が得られる点で、操作体４の側面は非弾性樹脂から形成することが好ましい。
【００４３】
筆記体３のペン先３１が没入状態のとき、その筆記体３に取り付けられた操作体４の後端部の衝止部４７は、蓋部５の前面に形成された当接壁部５２に当接される。一方、筆記体３のペン先３１が突出状態のとき、その筆記体３に取り付けられた操作体４の後端部は、軸筒２の内壁に形成された係止壁部に係止される。
【００４４】
ペン先没入状態にある筆記体３の後端に連結された操作体４の前側突出部４２は、その操作体４の操作部４１を前方にスライド操作した際、先にペン先突出状態にある他の筆記体３の後端に連結された操作体４の後側突出部４３と当接され、他の筆記体３のペン先突出状態が解除される。
【００４５】
（本実施の形態の作用）
本実施の形態の多芯筆記具１は、各々の操作体４の後端部に、ペン先没入時に軸筒２の当接壁部５２と当接する、弾性樹脂からなる衝止部４７を設けたことによって、筆記体３のリターン時、操作体４の衝止部４７が軸筒２の当接壁部５２に勢いよく衝突しても、その衝撃を十分に吸収でき、インキの逆流やペン先３１からの空気の混入を回避でき、しかも、衝突時の発生する音を小さくすることができる。さらに、本実施の形態の多芯筆記具１は、衝止部４７と操作体４とを２色成形により一体に形成したことによって、製造コストの上昇を抑えることができる。
【００４６】
さらに、本実施の形態の多芯筆記具１は、操作部４１外面に弾性樹脂からなる滑り止め部４８を形成したことによって、指先に対する操作部４１外面の十分な滑り止め性能を得ることができ、窓孔２２より外部に突出する操作体４の操作部４１外面を指先で前方に押圧操作する際、指先が操作部４１外面から滑って押圧操作し損なうおそれがない。さらに、本実施の形態の多芯筆記具１は、滑り止め部４８と操作体４（操作部４１）とを２色成形により一体に形成したことにより、製造コストの上昇を抑えることができる。
【図面の簡単な説明】
【００４７】
【図１】本発明の第１の実施の形態の開口部の閉鎖状態を示す縦断面図である。
【図２】図１の多芯筆記具の開口部の開口状態を示す側面図である。
【図３】本発明の第２の実施の形態の開口部の閉鎖状態を示す縦断面図である。
【図４】図３の多芯筆記具の開口部の開口状態を示す側面図である。
【符号の説明】
【００４８】
１  多芯筆記具
２  軸筒
２ａ  前軸
２ｂ  後軸
２１  前端孔
２２  窓孔
２３  開口部
２４  被係合部
２５  クリップ
３  筆記体
３１  ペン先
３２  インキ収容管
４  操作体
４１  操作部
４２  前側突出部
４３  後側突出部
４４  嵌入部
４５  鍔部
４６  抜け止め突起
４７  衝止部
４８  滑り止め部
５  蓋部
５１  ヒンジ部
５２  当接壁部
５３  係合部
６  弾発体
【図１】
2010105200.tif 000003
【図２】
2010105200.tif 000004
【図３】
2010105200.tif 000005
【図４】
2010105200.tif 000006